(57)【要約】  液晶ディスプレイ、デジタルテレビジョン、プリンタ、または他の任意の適切なディスプレイなどのワイドガマットＲＧＢデジタルディスプレイは、前記ワイドガマットＲＧＢデジタルディスプレイがワイドガマットＲＧＢカラーデータを受け取ることを通知するワイドガマットＲＧＢ通知情報およびワイドカラーガマットフォーマット定義情報を、画像ソースプロバイダに通知するように動作可能なワイドカラーガマット構成メッセージ制御論理を備える。また、前記ワイドガマット構成メッセージ制御論理は、前記画像ソースプロバイダから受け取るワイドガマット確認情報に応答するようにも動作可能である。また、前記ワイドガマットＲＧＢデジタルディスプレイは、前記ワイドガマットＲＧＢ通知情報および前記フォーマット定義情報に対して受け取った受信ワイドガマットＲＧＢカラーデータを表示するように動作可能な論理も備える。
2011508245.tif 000002
【特許請求の範囲】
【請求項１】
受け取るワイドガマットＲＧＢカラーデータに対するワイドガマットＲＧＢ通知情報およびワイドカラーガマットフォーマット定義情報を、画像ソースプロバイダに通知するように動作可能であり、かつ前記画像ソースプロバイダからのワイドガマット確認情報に応答するように動作可能なワイドカラーガマット構成メッセージ制御論理と、
前記ワイドガマットＲＧＢ通知情報および前記フォーマット定義情報に対して受け取った受信ワイドガマットＲＧＢカラーデータを表示するように動作可能な論理とを備える、ワイドガマットＲＧＢデジタルディスプレイ。
【請求項２】
前記ワイドカラーガマット構成メッセージ制御論理は前記ワイドカラーフォーマット定義情報を表すデータを格納しているレジスタを有する、請求項１に記載のワイドガマットＲＧＢデジタルディスプレイ。
【請求項３】
ワイド多刺激色空間においてワイドガマットＲＧＢカラーデータを受け取ることを通知するワイドガマットＲＧＢ通知情報を画像ソースプロバイダに通知するように動作可能なワイドカラーガマット構成メッセージ制御論理と、
前記ワイドガマットＲＧＢ通知情報に対して受け取った受信ワイドガマットＲＧＢカラーデータを表示するように動作可能な論理と備える、ワイドガマットＲＧＢデジタルディスプレイ。
【請求項４】
ワイドガマットＲＧＢデジタルディスプレイと画像ソースプロバイダとを備え、
前記ワイドガマットＲＧＢデジタルディスプレイは、
多刺激色空間において受け取るワイドガマットＲＧＢカラーデータに対するワイドガマットＲＧＢ通知情報およびワイドガマットカラーフォーマット定義情報を前記画像ソースプロバイダに通知するように動作可能であり、かつ前記画像ソースプロバイダからのワイドガマット確認情報に応答するように動作可能なワイドカラーガマット構成メッセージ制御論理と、
前記ワイドガマットＲＧＢ通知情報および前記フォーマット定義情報に対して受け取った受信ワイドガマットＲＧＢカラーデータを表示するように動作可能な論理とを有し、
前記画像ソースプロバイダは、
前記ワイドガマットＲＧＢ通知情報および前記ワイドガマットカラーフォーマット定義情報を受信し、前記フォーマット定義情報が指定するフォーマットで前記ワイドガマット確認情報を提供するように動作可能な論理を有する、システム。
【請求項５】
前記ワイドガマットＲＧＢ通知情報および前記ワイドガマットカラーフォーマット定義情報を受信し、前記フォーマット定義情報が指定するフォーマットで前記ワイドガマット情報を提供するように動作可能な前記論理は、
ワイドカラーガマットデジタルディスプレイインタフェース論理と、
非ワイドカラーデータをワイドガマットカラー情報にフォーマットするか、またはフォーマット済みのワイドガマットカラー情報を出力することによって、前記フォーマット定義情報が指定するフォーマットで前記ワイドガマット確認情報を提供するように動作可能なワイドカラーガマットフォーマット論理とを有する、請求項４に記載のシステム。
【請求項６】
ワイドガマットＲＧＢデジタルディスプレイと画像ソースプロバイダとを備え、
前記ワイドガマットＲＧＢデジタルディスプレイは、
ワイド多刺激色空間においてワイドガマットＲＧＢカラーデータを受け取ることを通知するワイドガマットＲＧＢ通知情報を、画像ソースプロバイダに通知するように動作可能なワイドカラーガマット構成メッセージ制御論理と、
前記ワイドガマットＲＧＢ通知情報に対して受け取った受信ワイドガマットＲＧＢカラーデータを表示するように動作可能な論理とを有し、
前記画像ソースプロバイダは、前記ワイドガマットＲＧＢ通知情報を受信し、前記ワイドガマットＲＧＢ通知情報に応答してワイドガマット確認情報を提供するように動作可能な論理を有する、システム。
【請求項７】
多刺激色空間において受け取るワイドガマットＲＧＢカラーデータに対するワイドガマットＲＧＢ通知情報およびワイドガマットカラーフォーマット定義情報を画像ソースプロバイダに通知するステップと、
前記画像ソースプロバイダからワイドガマット確認情報を受け取るステップと、
前記ワイドガマットＲＧＢ通知情報および前記フォーマット定義情報に対して受け取った受信ワイドガマットＲＧＢカラーデータを表示するステップとを含む、方法。
【請求項８】
前記画像ソースプロバイダに前記ワイドガマットカラーフォーマット定義情報を提供するために前記ワイドカラーフォーマット定義情報を表す記憶済みのデータにアクセスするステップを含む、請求項７に記載の方法。
【請求項９】
前記ワイドガマットＲＧＢ通知情報および前記ワイドガマットカラーフォーマット定義情報を受信するステップと、
前記フォーマット定義情報が指定するフォーマットで前記ワイドガマット確認情報を提供するステップとを含む、請求項７に記載の方法。
【請求項１０】
ワイドガマットＲＧＢカラーデータをワイド多刺激色空間においてワイドガマットＲＧＢデジタルディスプレイが受け取ることを通知するワイドガマットＲＧＢ通知情報を画像ソースプロバイダに通知するステップと、
前記ワイドガマットＲＧＢ通知情報に対して受け取った受信ワイドガマットＲＧＢカラーデータを前記ワイドガマットＲＧＢデジタルディスプレイによって表示するステップとを含む、方法。
【請求項１１】
前記ワイドガマットＲＧＢ通知情報を受信するステップと、
前記ワイドガマットＲＧＢ通知情報に応答して前記ワイドガマット確認情報を提供するステップとを含む、請求項９に記載の方法。
【請求項１２】
ワイドガマットＲＧＢ通知情報およびワイドガマットカラーフォーマット定義情報を受信し、ディスプレイに、前記フォーマット定義情報が指定するフォーマットでワイドガマット確認情報を提供するように動作可能な論理を有する、画像ソースプロバイダ。
【請求項１３】
前記論理は、非ワイドガマット範囲に対して定義された範囲に対して変更されたカラークロマシティ値を含むフォーマットで前記ワイドガマットＲＧＢ情報を生成するように動作可能である、請求項１２に記載の画像ソースプロバイダ。
【請求項１４】
前記論理は、デジタルカラー値が正規化された範囲を外れている場合に、非ワイドガマット範囲外の色を示すようなフォーマットで前記ワイドガマットＲＧＢ情報を生成するように動作可能である、請求項１２に記載の画像ソースプロバイダ。
【請求項１５】
実行可能命令が記憶されたコンピュータ可読媒体であって、前記命令は、実行されると、集積回路設計システムに、
多刺激色空間において受け取るワイドガマットＲＧＢカラーデータに対するワイドガマットＲＧＢ通知情報およびワイドガマットカラーフォーマット定義情報を画像ソースプロバイダに通知し、
前記画像ソースプロバイダからワイドガマット確認情報を受信し、
前記ワイドガマットＲＧＢ通知情報および前記フォーマット定義情報に対して受け取った受信ワイドガマットＲＧＢカラーデータを表示するように動作可能な集積回路を作製させる、コンピュータ可読媒体。
【請求項１６】
コンピュータ可読媒体に記憶された実行可能命令を集積回路設計システムに実行させるプロセスで作製される集積回路であって、
多刺激色空間において受け取るワイドガマットＲＧＢカラーデータに対するワイドガマットＲＧＢ通知情報およびワイドガマットカラーフォーマット定義情報を画像ソースプロバイダに通知し、
前記画像ソースプロバイダからワイドガマット確認情報を受信し、
前記ワイドガマットＲＧＢ通知情報および前記フォーマット定義情報に対して受け取った受信ワイドガマットＲＧＢカラーデータを表示するように動作可能な集積回路。
【発明の詳細な説明】
【技術分野】
【０００１】
本開示は、広色域（ワイドガマット：Wide Gamut）ＲＧＢデジタルディスプレイシステムおよびその方法の分野における装置および方法について記載する。
【背景技術】
【０００２】
広色域ＲＧＢデジタルディスプレイが知られている。デジタルテレビジョンなどのビデオ用途に、ＹＣｂＣｒ色空間が採用されており、ワイドガマット仕様のＹＣｂＣｒ色空間のサポートを追加するための高精細度マルチメディアインタフェース仕様が提案されている。しかし、この仕様はＹＣｂＣｒ色空間では機能するものの、ＲＧＢ色空間では機能しない。
【０００３】
一部のワイドガマットディスプレイは、ＲＧＢ空間またはＹＣｂＣｒ空間のいずれかの標準的なガマット（Gamut）の入力データを受け取り、信号処理を行ってカラー値ガマットを拡張することができる。ディスプレイへの画像入力のガマットが標準的な範囲であるため、この処理により、画像の色が不自然となってしまう。例えば、他の公知のＲＧＢディスプレイは、レンダリングされた（例えば、３２ビットの浮動小数点空間または符号付き整数空間にレンダリングされた）グラフィック情報を受け取り、表示用にビデオフレームを８ビットＲＧＢフォーマットに逆変換する。
【発明の概要】
【発明が解決しようとする課題】
【０００４】
ホストデバイスがディスプレイにワイドガマットＲＧＢ情報を提供する別のシステムも知られており、例えば、ワイドガマットカラー値をディスプレイに指示するグラフィック／ビデオ処理コア（例えば、プロセッサ）を備えうる。しかし、ディスプレイは、ワイドガマットＲＧＢデジタルディスプレイでなく、代りに、ワイドガマットＲＧＢカラーデータに基づいて、広い輝度のダイナミックレンジを提供する。このようなディスプレイは、通常、８ビットのＲＧＢカラースキームカラーガマットを使用する。しかし、ピクセルあたり１４ビットまたは１６ビットの輝度が使用される。画像システムに拡張輝度値を指示させるために、ユーザインタフェースが使用されうる。しかし、このようなシステムは、ワイドガマットＲＧＢデジタルディスプレイを使用しておらず、このため、実際には画像品質が低下してしまう。
【０００５】
このため、所定のタイプのワイドガマットＲＧＢインタフェースを介して、フルワイドガマットＲＧＢディスプレイ動作を使用するディスプレイシステムおよびその方法が求められている。
【課題を解決するための手段】
【０００６】
概説すると、液晶ディスプレイ、デジタルテレビジョン、プリンタ、または他の任意の適切なディスプレイなどのワイドガマットＲＧＢデジタルディスプレイは、前記ワイドガマットＲＧＢデジタルディスプレイがワイドガマットＲＧＢカラーデータを受け取ることを通知するワイドガマットＲＧＢ通知情報（wide gamut RGB indication information）およびワイドカラーガマットフォーマット定義情報（wide color gamut format definition information）を、画像ソースプロバイダに通知するように動作可能なワイドカラーガマット構成メッセージ制御論理（wide color gamut configuration message control logic）を備える。例えば、この情報は、ディスプレイインタフェースを介してリンク上で送信されるか、あるいは、ディスプレイの型番を示すディスプレイのローカルレジスタを読み出すか、他の任意の適切な方法によって取得されうる。また、前記ワイドガマット構成メッセージ制御論理は、前記画像ソースプロバイダから受け取るワイドガマット確認情報（wide gamut confirmation information）に応答するようにも動作可能である。また、前記ワイドガマットＲＧＢデジタルディスプレイは、前記ワイドガマットＲＧＢ通知情報および前記フォーマット定義情報に対して受け取った受信ワイドガマットＲＧＢカラーデータを表示するように動作可能な論理も備える。
【０００７】
一例では、ワイドカラーガマット構成メッセージ制御論理は、ワイドカラーフォーマット定義情報を表すデータを格納している１つ以上のレジスタを有する。ＲＧＢ情報に関して説明するが、別の三刺激色空間または他の任意の適切な色空間などの、どのような多刺激色空間が使用されてもよい。例えば、正規化された０．０〜１．０の範囲外の広範囲のＲＧＢ値が、画像ソース生成ユニットからワイドガマットＲＧＢデジタルディスプレイデバイスに送られる。このように、ワイドガマットＲＧＢデジタルディスプレイは、画像ソースプロバイダに、自身がワイドガマットＲＧＢ画像データをサポートすることができる旨を通知する。ワイドガマットＲＧＢデジタルディスプレイは、自身が表示可能なワイドカラー値の正確な数値フォーマットに関する詳細を提供または暗示する。画像ソースプロバイダは、いつ、ワイドガマットＲＧＢデジタルディスプレイにワイドガマットＲＧＢカラーデータが送信されるかを示し、これにより、ディスプレイはこの情報を適切に解釈できるようになる。一例では、ディスプレイ自身により、明示的な信号が送信される。別例では、この信号は、ディスプレイインタフェースの埋め込み信号またはサイドバンド信号に含まれる。
【０００８】
別例では、ワイドガマットＲＧＢデジタルディスプレイは、ＲＧＢ色空間などのワイド多刺激色空間においてワイドガマットＲＧＢカラーデータを受け取ることを通知するワイドガマットＲＧＢ通知情報を、画像ソースプロバイダに通知するように動作可能なワイドカラーガマット構成メッセージ制御論理を有する。また、前記ディスプレイは、前記ワイドガマットＲＧＢ通知情報に対して受け取った受信ワイドガマットＲＧＢカラーデータを表示する論理も有する。このため、本実施形態では、ワイドカラーガマットフォーマット定義情報は、ディスプレイから画像ソースプロバイダに伝達されず、例えば、必要に応じて事前定義されうる。また、ワイドガマットＲＧＢデジタルディスプレイと、対応する画像ソースプロバイダとの両方を使用するシステムおよび方法も開示される。
【０００９】
他の利点のなかでも、例えば、ワイドガマットＲＧＢ画像をレンダリングすることができる画像ソースプロバイダは、ワイドガマットＲＧＢデジタルディスプレイにワイドガマットＲＧＢ画像を適切に提供することができる。
【図面の簡単な説明】
【００１０】
【図１】ワイドカラーガマットデジタルディスプレイに、ワイドカラーガマットまたは拡張ガマットＲＧＢデータと確認情報とを提供する画像ソースプロバイダの一例を示すブロック図。
【図２】ワイドガマットＲＧＢデジタルディスプレイを提供するための方法の例を示す図。
【図３】本開示に記載の一例による、ワイドガマットＲＧＢデジタルディスプレイと画像ソースプロバイダの別例を示すブロック図。
【図４】本開示に記載の一例による、画像ソースプロバイダおよびワイドカラーガマットデジタルディスプレイ間でワイドガマットＲＧＢカラーデータを提供するための方法の別例を示すフローチャート。
【発明を実施するための形態】
【００１１】
本発明は、添付の図面を参照しつつ以下に記載する説明を読めば、より容易に理解できるであろう。図面において、同じの参照符号は同じ要素を参照している。
【００１２】
図１は、デジタルテレビジョン、ラップトップコンピュータおよび対応するワイドカラーガマットデジタルディスプレイ、プリンタまたは他の任意の適切な画像ディスプレイシステムなどの画像ディスプレイシステム１０の一例を示すが、これに限定されるものではない。画像ディスプレイシステム１０は、画像ソースプロバイダ１２を有し、画像ソースプロバイダ１２は、無線リンク、ディスプレイインタフェースリンクまたは他の任意の適切な通信リンクなどの適切なリンク１６を介して、ワイドガマットＲＧＢデジタルディスプレイ１４と通信している。ワイドカラーガマットデジタルディスプレイ１４は、ワイドカラーガマット構成メッセージ制御論理１８を備え、例えば、液晶ディスプレイまたは他の任意の適切なディスプレイなどである。この例では、画像ソースプロバイダ１２は、符号２０で示し、ワイドカラーガマットフォーマット回路２２を備えるビデオグラフィックプロセッサを使用するホスト画像処理システムとして説明される。このワイドカラーガマットフォーマット回路２２は、例えば、マッピング操作によって、あるいは別のサブシステムまたは画像ソースプロバイダ１２内の回路から受け取った拡張済みのデータを使用して、ワイドカラーガマットＲＧＢ情報をフォーマットまたは生成するように動作可能である。本明細書で使用する論理または回路は、メモリ、ディスクリートロジック、特定用途向け集積回路、あるいは適宜、ハードウェア、実行中のソフトウェアおよび／またはファームウェアの任意の適切な組み合せに記憶されているコンピュータ可読命令を実行する、適切にプログラムされたプロセッサを有しうる。ソースプロバイダが、ワイドガマットディスプレイが接続されていることを認識している場合、ワイドカラーガマットフォーマット回路２２は、グラフィックレンダリングエンジンからのワイドカラーガマットＲＧＢから、ワイドガマットＲＧＢディスプレイ用のフォーマットに（例えば、レンダラからのＲＧＢから表示用のｓｃＲＧＢに）再フォーマットしうる。
【００１３】
ワイドカラーガマットデジタルディスプレイインタフェース２５は、ワイドカラーガマットデジタルディスプレイ１４とワイドカラーガマットフォーマット回路２２との間のインタフェースである。
【００１４】
ワイドカラーガマットフォーマット回路２２は、適切な形態であればどのような形態でもよく、メモリ、ディスクリートロジック、特定用途向け集積回路、あるいはハードウェア、適宜、ソフトウェアおよびファームウェアの任意の適切な組み合せに記憶されているコンピュータ可読命令を実行するように適切にプログラムされたプロセッサを備えうる。この例では、ワイドカラーガマットフォーマット回路２２は、正規化が行われた後に、ＲＧＢ値のカラーガマットをより広い範囲のＲＧＢ値に拡張する。このことは、例えば、ＲＧＢ値の固定小数点数値に、符号ビットと暗黙の小数点を追加するか、符号なしの固定小数点値に対して暗黙のＤＣオフセットを使用する、または浮動小数点値を使用するか、あるいは適宜、任意の適切な組み合せを使用することによって行うことができる。ＲＧＢ成分ごとのカラー値当たり８ビット超のワイドガマットＲＧＢカラーデータを有することが望ましく、そうでない場合、正規化された０．０〜１．０の色範囲内の精度低下となり、画面上の画像アーチファクトの原因となりうる。このように、例えば、ルックアップテーブルまたは演算アルゴリズムを使用するマッピング操作が使用されても、あるいは、ワイドカラーガマットデジタルディスプレイ１４が送信する情報で指定される、ワイドカラーガマットデジタルディスプレイ１４が認識する適切なフォーマットのワイドカラーガマット情報を生成するための任意の適切な機構が使用されてもよい。例えば、ワイドガマットＲＧＢデジタルディスプレイ１４はワイドカラーガマット構成メッセージ制御論理１８を備え、このワイドカラーガマット構成メッセージ制御論理１８は、ワイドガマットＲＧＢ通知情報およびワイドガマットカラーフォーマット定義情報２４を画像ソースプロバイダ１２に通知するように可能であり、この情報を使用して、画像ソースプロバイダ１２が、多刺激色空間において提供されるワイドガマットＲＧＢカラーデータ２６を提供する。ワイドカラーガマット構成メッセージ制御論理１８は、ワイドカラーガマット確認情報に応答し、この情報は、ワイドガマットＲＧＢデータ２６と共に埋め込まれるか、または、必要に応じて別の情報として送信され、送信するワイドガマットＲＧＢカラーデータ２６が表示に適したフォーマットであることを、ワイドカラーガマットデジタルディスプレイ１４に確認する。ワイドカラーガマット構成メッセージ制御論理１８は、ディスクリートロジック、最適にプログラムされたプロセッサ、ＡＳＩＣ、あるいは実行中のハードウェア、ソフトウェアおよびファームウェアの任意の適切な組み合せでもよい。
【００１５】
また、ワイドカラーガマットデジタルディスプレイ１４は表示論理２８も備え、表示論理２８は、ワイドガマットＲＧＢデータ２６として送られ、必要に応じて更に処理される、最適に処理されたワイドガマットＲＧＢカラーデータ３０を受け取り、ワイドガマットＲＧＢ通知情報２４およびフォーマット定義情報に対して受け取ったワイドガマットＲＧＢカラーデータ２６を表示する。ワイドガマットＲＧＢ通知情報２４は、ワイドカラーガマットデジタルディスプレイ１４が標準的な色範囲のＲＧＢデータだけでなく、ワイドカラーガマットＲＧＢカラーデータも表示することができる旨の通知を表すデータなどである。
【００１６】
フォーマット定義情報は、ワイドカラーガマットデジタルディスプレイ１４が表示可能なワイドガマットＲＧＢデータ２６のフォーマットを表すデータである。例えば、ワイドカラーガマットデジタルディスプレイ１４は、適切なフォーマットを提供するための特定のビット数と情報の順序を要求し、これにより、画像ソースプロバイダ１２が、ワイドカラーガマットフォーマット回路２２を使用して、ワイドカラーガマットデータを、例えば、符号ビットと暗黙小数点の形式から浮動小数点値形式に最適にフォーマットできるようになる。また、フォーマット定義情報は、ワイドガマットカラーの範囲を表すために使用する値の所望の範囲も指示しうる。また、ベースカラー色度も、フォーマット定義情報によって定義されうる。ディスプレイインタフェースを介して、画像ソースプロバイダ（例えば、画像ソースプロバイダに含まれる論理）がワイドガマットＲＧＢ情報を送る方法の２つの例としては、ワイドガマットＲＧＢ情報を、非ワイドガマット範囲に定義された範囲に変更したカラークロマシティ（chromacity）値を含むフォーマットで生成する方法と、「フルスケール」の正規化された色（１．０）と「無色」（０．０）との定義を保持しつつ、デジタル符号化フォーマットを再定義する方法がある。前者の例は、非ワイドガマット情報に対して既存のデジタル符号化フォーマットを使用する方法であるが、Ｒ，Ｇ，Ｂの各色度（chromaticity）の「意味」が再定義されうる。例えば、システムが、０〜（２ｎ）−１の範囲の８、１０または１２ビットの符号なし整数を使用し、０が「無色」に正規化され、（２ｎ）−１が「フルカラー」に正規化される場合、順序付けフォーマットは保持されるが、色の色度を変更することにより「フルカラー」の定義が変更されうる。この方法は、ＨＤＭＩ１．３でヒントを与えられるが、ＲＧＢ色空間では完全には有効に表示されない。
【００１７】
正規化された「フルスケール」色（１．０）と「無色」（０．０）との定義を保持しつつ、デジタル符号化フォーマットを再定義する別の方法を使用することもできる。デジタルカラー値がこの正規化された範囲から外れる場合、この標準的なガマットの範囲から外れた色を示す。例えば浮動小数点符号化体系、または、符号および／または暗黙の小数点を備える整数体系を使用することも、負数の必要性を避けるために、固定ＤＣオフセットを有する符号化体系（すなわち、０．０から０を超えるコード値への正規化へのシフト）を使用することができる。一実施形態では、ワイドカラーガマット確認メッセージ制御論理は、レジスタおよび対応する論理を有し、レジスタは、使用するワイドカラーフォーマット定義情報を表すデータを含む。また、上記の組み合せが使用されてもよい点に留意されたい。
【００１８】
ワイドカラーガマットフォーマット回路２２とワイドカラーガマットデジタルディスプレイインタフェース２５は、ワイドガマットＲＧＢ通知情報およびワイドガマットカラーフォーマット情報２４を受け取り、フォーマット定義情報が指定するフォーマットでワイドガマット確認情報２６を提供する論理である。ワイドカラーガマットフォーマット論理は、非ワイドカラーデータをワイドガマットカラー情報にフォーマットするか、フォーマット済みのワイドガマットカラー情報を出力するかのいずれかによって、ワイドガマットＲＧＢデータをフォーマットしうる。
【００１９】
レジスタは、適宜同じリンク１６または他の任意の適切なリンクを介して、画像ソースプロバイダによってアクセスされうる。別の実施形態では、レジスタは、ワイドカラーガマットデジタルディスプレイの製造業者によって生成され、ワイドカラーガマットデジタルディスプレイが対応可能なフォーマットを示しうる。レジスタは、アドレス指定可能、アドレス指定不可能を問わず、適切なメモリであればどのようなものであってもよく、ワイドカラーガマットデジタルディスプレイが異なるフォーマットのワイドカラーガマットＲＧＢデータに対応可能な場合、複数のフォーマットを含んでもよい。
【００２０】
他の公知のシステムとは異なり、システム１０は、例えば、単に送られたワイドガマットＲＧＢデータに基づいて輝度レベルを変更するだけではなく、画像ソースプロバイダから受け取ったワイドガマットＲＧＢデータ２６を実際に表示する。また、このシステムは、ワイドカラーガマットデジタルディスプレイ１４を使用して、ＲＧＢ色空間または他の任意の適切な色空間などの多刺激色空間において受け取るカラーデータに対するワイドガマットＲＧＢ通知情報およびフォーマット定義情報を通知する。
【００２１】
図２は、例えば、システム１０によって実行されうる方法の例を示す。この方法は、ブロック２００において開始し、システムに電力が供給される。ブロック２０２に示すように、本方法は、多刺激色空間（multi stimulus color space）におけるカラーデータに対するワイドガマットＲＧＢ通知情報およびフォーマット定義情報２４を、画像ソースプロバイダ内のワイドカラーガマットデジタルディスプレイインタフェース２５に通知する。これは、例えば、ワイドカラーガマットデジタルディスプレイ１４または他の任意の適切なデバイスによって行われうる。ブロック２０４に示すように、本方法は、送られたワイドガマットＲＧＢ通知情報およびフォーマット定義情報２４に対して、画像ソースプロバイダ１２によって、ワイドガマットＲＧＢデータおよび確認情報２６を返信する。確認情報は、必要に応じてフレームごとに送信され、システムが、別のワイドガマット表示モードまたは非ワイドガマットモードに変更されるたびに変更されうる。これが行われると、次に、ブロック２０６に示すように、表示論理２８によってワイドガマットＲＧＢデータが表示されうる。換言すると、ワイドガマットＲＧＢ画像情報を提供する方法は、ワイドガマットＲＧＢ通知情報２４およびワイドガマットカラーフォーマット定義情報を画像ソースプロバイダ１２に通知し、これに対して、画像ソースプロバイダ１２からワイドガマット確認情報を受け取る。また、本方法は、ワイドガマットＲＧＢ通知情報およびフォーマット定義情報に対して受け取った受信ワイドガマットＲＧＢカラーデータを表示する。
【００２２】
図３は、図１の画像処理システム１０と同様の画像処理システム３００の別例を示すが、フォーマット定義情報の送信が不要であるか、または画像ソースプロバイダから確認情報が返されない点が異なる。この例では、ワイドカラーガマット構成メッセージ制御論理３０２は、ＲＧＢ色空間等のワイド多刺激色空間においてワイドガマットＲＧＢカラーデータを受け取ることを通知するワイドガマットＲＧＢ通知情報を、画像ソースプロバイダ１２に通知するように動作可能である。この通知情報は、情報３０４として図示されている。これに対して、画像ソースプロバイダは、ワイドカラーガマットフォーマット回路が確実にワイドガマットＲＧＢ通知情報を提供するようにする。しかし、この例では、ワイドカラーガマットフォーマット回路３０６は、デフォルトのフォーマットを有し、フォーマット定義情報を解釈する必要がない。ワイドカラーガマットフォーマット回路３０６は、受け取ったワイドガマットＲＧＢ通知情報３０４に対して、ワイドガマットＲＧＢカラーデータ３０８を提供する。次に、ワイドカラーガマット構成メッセージ制御論理は、情報（すなわち、所望のワイドガマットＲＧＢデータ３０８）を最適に処理またはデコードし、これを表示論理２８に出力し、表示論理２８は、ワイドガマットＲＧＢ通知情報３０４に対して受け取った受信ワイドガマットＲＧＢカラーデータを表示する。
【００２３】
図４は、図３のシステム３００によって実行されうる方法の一例を示す。例えば、ブロック４００に示すように、本方法は、例えば、電源投入状態、または他の適切なタイミングで開始しうる。ブロック４０２に示すように、本方法は、カラーデータおよび多刺激色空間に対するワイドガマットＲＧＢ通知情報３０４を、画像ソースプロバイダ１２のワイドカラーガマットデジタルディスプレイインタフェース２５に通知する。ブロック４０４に示すように、画像ソースプロバイダ１２は、送られたワイドガマットＲＧＢ通知情報３０４に対して、ワイドガマットＲＧＢデータ３０８を返信する。図１と同様に、ワイドガマットＲＧＢ通知情報は、ワイドカラーガマットデジタルディスプレイ１４がワイドガマットＲＧＢカラーデータ等のワイドガマット多刺激色情報に対応可能であることを通知する。次に、本方法は、ブロック４０６に示すように、システム３００によって必要とされるように続行されうる。
【００２４】
この例では、図３のワイドカラーガマットディスプレイ１４は、ワイドガマットＲＧＢカラーデータを、画像ソースプロバイダが送ること、あるいはワイドガマットＲＧＢデジタルディスプレイがワイド多刺激色空間において受け取ることを通知するワイドガマットＲＧＢ通知情報３０４を、画像ソースプロバイダ１２に通知する。次に、ワイドカラーガマットデジタルディスプレイは、ワイドガマットＲＧＢ通知情報に対して受け取った受信ワイドガマットＲＧＢカラーデータ３０８を、ワイドガマットディスプレイによって表示する。
【００２５】
他の利点のなかでも、ワイドカラーガマットデジタルディスプレイが、画像ソースプロバイダに少なくともワイドガマットＲＧＢ通知情報を通知することに基づいて、ワイドガマットカラー情報を表示する複数の実施形態を説明した。また、符号化フォーマット定義情報または他の情報等の追加情報が、必要に応じてワイドカラーガマットデジタルディスプレイから伝達されうる。ワイドカラーガマットデジタルディスプレイインタフェースは、画像ソース生成ユニットからワイドガマット表示デバイスに、正規化された０．０〜１．０の範囲外の広範囲のＲＧＢ値を送信できる、例えば、ＤｉｓｐｌａｙＰｏｒｔ、ＵＤＩ、ＨＤＭＩ、ＬＶＤＳまたはＤＶＩを使用して、デジタルディスプレイインタフェースの一部として一体化されうる。ディスプレイは、複数の符号化フォーマットまたはワイドガマット表示モードをサポートし、プラグアンドプレイ型の動作を使用して、ソースプロバイダにこれを通知しうる。上記以外の利点は、通常の知識を有する当業者であれば理解できるであろう。
【００２６】
また、コンピュータ可読メモリ（限定されるものではないが、例えば、ＣＤ-ＲＯＭ、ＲＡＭ、他の形態のＲＯＭ、ハードディスクドライブ、分散メモリなど）に記憶されている実行可能命令に基づいて、集積回路を作製する集積回路設計システム（例えばワークステーション）が公知となっている。この命令は、限定的ではないが、ハードウェア記述言語または他の適切な言語などの任意の適切な言語によって表されうる。このように、ここに説明した論理（例えば、回路）は、このようなシステムによって集積回路として作製されうる。例えば、集積回路が、コンピュータ可読媒体に記憶された命令を使用して、ディスプレイで使用するために作製されうる。この命令は、実行されると、集積回路設計システムに、多刺激色空間において受け取るワイドガマットＲＧＢカラーデータに対するワイドガマットＲＧＢ通知情報およびワイドガマットカラーフォーマット定義情報を、画像ソースプロバイダに通知し、画像ソースプロバイダからワイドガマット確認情報を受信し、ワイドガマットＲＧＢ通知情報およびフォーマット定義情報に対して受け取った受信ワイドガマットＲＧＢカラーデータを表示するように動作可能な集積回路を作製させる。また、ここに記載の動作のうちの他の動作を実行する論理を有する集積回路が適宜作製されてもよい。
【００２７】
上記の本発明の詳細な説明および例は、限定するものでなく、例示および説明のために提示したものである。このため、本発明は、上記に開示し、ここにクレームする基本的な基礎をなす原理の趣旨ならびに範囲に含まれるすべての変更、変形物または均等物をカバーすることが考察される。
【図１】
2011508245.tif 000003
【図２】
2011508245.tif 000004
【図３】
2011508245.tif 000005
【図４】
2011508245.tif 000006
【国際調査報告】
2011508245.tif 000007
2011508245.tif 000008